(57)【特許請求の範囲】
【請求項１】
放送局から通常時に出力される有線放送信号と緊急事態発生時に出力される緊急放送信号とをケーブル網に供給し、前記ケーブル網に接続された複数のタップオフによって前記各放送信号を複数の分岐信号ケーブルに分配し、それらの分岐信号ケーブルの端部にそれぞれ前記各放送信号を受信する受信端末が接続されたＣＡＴＶシステムにおいて、前記各分岐信号ケーブルの途中に前記各放送信号を伝送させる主放送信号伝送部とそれに並列接続された直流電圧重畳部とからなる直流重畳電圧発生用増幅器を接続し、前記放送局が緊急放送信号を発生するのに先立って規定周波数の搬送波信号を出力すると、前記直流重畳電圧発生用増幅器は、前記直流電圧重畳部が分岐信号ケーブルを通して供給された前記規定周波数の搬送波信号を受領し、受領した搬送波信号を交流−直流変換して出力し、出力した直流電圧を前記分岐信号ケーブルの端部に接続された受信端末に供給し、当該受信端末の起動または緊急報知が行われることを特徴とするＣＡＴＶシステム。
【請求項２】
前記直流重畳電圧発生用増幅器は、前記主放送信号伝送部が前記各放送信号を増幅する増幅部を有し、前記直流電圧重畳部が前記規定周波数の搬送波信号を抽出するバンドパスフィルタと前記バンドパスフィルタで抽出した前記規定周波数の搬送波信号を交流−直流変換して直流電圧を発生する直流電圧発生部とを有し、さらに、前記主放送信号伝送部の出力と前記直流電圧重畳部の出力とを加算して出力する加算部とを備えることを特徴とする請求項１に記載のＣＡＴＶシステム。
【請求項３】
前記受信端末は、前記分岐信号ケーブルを通して供給された直流電圧の電圧値を判定し、正規の電圧値であると判定したときに判定信号を出力する電圧レベル判定手段と、前記供給された直流電圧に応答して緊急放送信号の到来を報知する緊急放送報知手段と、前記判定信号により制御される主制御部起動制御手段とを備え、前記受信端末の動作状態が主電源オンの待機状態のときには、前記電圧レベル判定手段が判定信号を出力すると、その判定信号に応答して前記主制御部起動制御手段が主制御部を起動させ、前記受信端末を待機状態から主機能稼動状態に移行させ、前記受信端末の動作状態が主電源オフの主電源オフ状態または交流電源未接続状態のときには、前記供給された直流電圧に応答して前記緊急放送報知手段を報知動作状態に駆動し、前記緊急放送信号の到来を報知することを特徴とする請求項１に記載のＣＡＴＶシステム。
【請求項４】
前記緊急放送報知手段は、ブザー等の発音体であることを特徴とする請求項３に記載のＣＡＴＶシステム。
【発明の詳細な説明】
【０００１】
【発明の属する技術分野】
本発明は、ＣＡＴＶシステムに係わり、特に、ケーブル網から分岐された分岐信号ケーブルに受信端末が接続され、分岐信号ケーブルを通して各受信端末に緊急放送信号が供給されるときに、各受信端末で供給される緊急放送信号を確実に受信できるような手段を設けたＣＡＴＶシステムに関する。
【０００２】
【従来の技術】
一般に、ＣＡＴＶシステムは、放送局から出力される有線放送信号が供給されるケーブル網と、ケーブル網に接続された多数のタップオフ及び同数の分岐信号ケーブルと、各分岐信号ケーブルの端部にそれぞれ接続された受信端末と、各受信端末にそれぞれ接続されたテレビジョン受像機等からなるモニタとからなる構成になっており、ケーブル網から分岐された有線放送信号がそれぞれの受信端末に供給されるものである。
【０００３】
ここで、図５は、既知のＣＡＴＶシステムの要部構成の一部を示すブロック図である。
【０００４】
図５に示されるように、ＣＡＴＶシステムは、ケーブル網５０と、タップオフ５１と、分岐信号ケーブル５２と、保安器５３と、受信端末５４と、モニタ５５とからなっている。なお、図５においては、タップオフ５１、分岐信号ケーブル５２、保安器５３、受信端末５４、モニタ５５がそれぞれ１つづつ示されているが、実際のＣＡＴＶシステムにおいては、多数のタップオフ５１、分岐信号ケーブル５２、保安器５３、受信端末５４、モニタ５５が設けられている。
【０００５】
そして、ケーブル網５０に放送局から出力される有線放送信号が供給されると、その有線放送信号は、タップオフ５１によって分岐され、分岐された有線放送信号が分岐信号ケーブル５２に供給される。分岐信号ケーブル５２に供給された有線放送信号は、保安器５３を通して受信端末５４に供給される。
【０００６】
また、図６は、図５に図示された受信端末５４の内部構成の一例を示すブロック図であって、モニタ５５とともに表したものである。
【０００７】
図６において、図５に示された構成要素と同じ構成要素については同じ符号を付けている。
【０００８】
図６に示されるように、この受信端末５４は、チューナを内蔵した受信部５６と、復調部５７と、デマルチプレクサ５８と、ＭＰＥＧデコーダ５９と、グラフィックコントローラ６０と、ＮＴＳＣエンコーダ６１と、起動制御用マイコン６２と、主制御部（メインＣＰＵ）６３と、主電源スイッチ（ＳＷ）６４と、放送信号入力端子６５と、映像信号出力端子６６と、音声信号出力端子６７と、リモコン信号入力端子６８と、電源端子６９とからなり、これらの構成要素５６乃至６９は、図６に図示されるように接続されている。この他に、テレビジョン受像機等のモニタ７０と、交流電源ソケット（図示なし）に差し込まれるコンセントプラグ７１とが配置される。モニタ７０は、映像信号出力端子６６と音声信号出力端子６７に接続され、コンセントプラグ７１は、電源端子６９に接続される。
【０００９】
前記構成による受信端末５４は、次のように動作する。
【００１０】
分岐信号ケーブル（図示なし）を通して供給された有線放送信号は、放送信号入力端子６５を通して受信部５６に供給される。受信部５６は、入力された有線放送信号の中の所望チャネルの放送信号を選局し、選局した放送信号を中間周波信号に変換して次続の復調部５７に供給する。復調部５７は、供給された中間周波信号を、放送局の変調形態に応じてＱＡＭ（ＱｕａｄｒａｔｕｒｅＡｍｐｌｉｔｕｄｅ  Ｍｏｄｕｌａｔｉｏｎ）復調またはＱＰＳＫ（ＱｕａｄｒａｔｕｒｅＰｈａｓｅ  ＳｈｉｆｔＫｅｙｉｎｇ）復調等を行い、データ列を形成する。このデータ列は、誤り訂正処理によって復元され、複数の映像データ、音声データ、その他のデータを多重化したＭＰＥＧトランスポートストリームの形でデマルチプレクサ５８に供給される。
【００１１】
デマルチプレクサ５８は、ＭＰＥＧトランスポートストリームの情報内容を選択し、映像データ及び音声データをＭＰＥＧデコーダ５９に転送し、ＳＩ（Ｓｅｒｖｉｃｅ  Ｉｎｆｏｒｍａｔｉｏｎ）等の放送を受信するためのデータを主制御部６３の処理によってテーブル化する。ＭＰＥＧデコーダ５９は、圧縮状態にある映像データ及び音声データを伸長し、映像信号及び音声信号に変換する。映像信号はグラフィックコントローラ６０に供給され、音声信号は音声信号出力端子６７を通してモニタ７０に供給される。グラフィックコントローラ６０は、供給された映像信号のスケーリングやＯＳＤ（Ｏｎ  Ｓｃｒｅｅｎ  Ｄｉｓｐｌａｙ）画像の重ね合わせを行った後、ＮＴＳＣエンコーダ６１に供給され、そこでＮＴＳＣ信号に変換される。変換されたＮＴＳＣ信号は、映像信号出力端子６６を通してモニタ７０に供給される。なお、受信端末５４における各構成要素５６乃至６１は、主制御部６３によって動作が制御される。
【００１２】
また、この受信端末５４は、電源端子６９に接続された主電源スイッチ６４を備え、電源端子６９にコンセントプラグ７１から交流電力が供給される。この場合、受信端末５４への電源供給状態は、主電源スイッチ６４の状態及びコンセントプラグ７１の状態により、次の４通りがある。
【００１３】
その１は、主電源スイッチ６４がオン状態にあって、ほぼ全ての回路部分に電源が供給され、映像信号や音声信号等がモニタ７０に出力されている状態（以下、主機能稼動状態という）である。
【００１４】
その２は、主電源スイッチ６４がオン状態にあるが、起動制御用マイコン６２等の一部の回路部分だけに電源が供給され、リモコン信号による制御や時刻予約起動だけが可能な状態（以下、待機状態という）である。
【００１５】
その３は、主電源スイッチ６４がオフ状態にあるが、コンセントプラグ７１が交流電源ソケットに嵌め込まれている状態（以下、主電源オフ状態という）である。
【００１６】
その４は、コンセントプラグ７１が交流電源ソケットに嵌め込まれていない状態（以下、交流電源未接続状態という）である。
【００１７】
受信端末５４は、待機状態にあるとき、消費電力を低減するために多くの回路部分を極力駆動しないようにしており、そのために低消費電力の起動制御用マイコン６２に起動管理機能とリモコン信号の受信機能とを持たせ、起動制御用マイコン６２だけを常時動作させておくことにより、番組予約機能や待機時におけるリモコン操作に対応できるようにしている。
【００１８】
また、図５に図示されたＣＡＴＶシステムにおいては、各種の有線放送信号を受信端末５４に伝送供給するともに、緊急放送信号を受信端末５４に伝送供給する。この緊急放送信号は、地震、台風等による災害の発生を回避したり、緊急事態発生時に必要な情報を視聴者に伝えて注意を喚起したりするもので、緊急放送受信部を備えた受信端末５４において受信される。
【００１９】
緊急放送受信部を備えた受信端末５４は、何時緊急放送信号が供給されるかが判らないため、待機状態のときであっても、緊急放送信号の供給を示す情報内容を受信した場合、受信端末５４に自動的に電源が投入されて主機能稼動状態に移行し、視聴者に必要な情報を提供するようにしている。すなわち、緊急放送受信部を備えた受信端末５４は、待機状態のときであっても、緊急放送信号の供給を確認することができるように、後述するように、受信端末５４の一部の回路部分を常時動作状態にしている。
【００２０】
ここで、図７は、既知の受信端末５４において常時動作状態にしている回路部分の一例を示すブロック図である。
【００２１】
図７において、図６に示された構成要素と同じ構成要素については同じ符号を付けている。
【００２２】
図７に示されるように、常時動作状態にしている回路部分は、チューナを含んだ受信部５６と、復調部５７と、デマルチプレクサ５８と、主制御部６３とからなっている。図７に図示された例においては、緊急放送信号を放送する際に、放送局から出力する通常の有線放送信号の中に緊急放送の有無を示すフラグや記述子等を含ませているもので、緊急放送が行われる場合、フラグや記述子等を緊急放送有に設定する。受信端末５４は、有線放送信号を受信、復調した後、データ中に含まれているフラグや記述子を監視することにより、緊急放送が行われることを検知すると、その緊急放送を受信する所定の動作、例えば緊急放送信号の強制選局や緊急放送信号の画面表示等を開始させる。
【００２３】
次に、図８は、既知の受信端末５４において常時動作状態にしている回路部分の他の例を示すブロック図である。
【００２４】
図８において、図６に示された構成要素と同じ構成要素については同じ符号を付けている。
【００２５】
図８に示されるように、常時動作状態にしている回路部分は、チューナを含んだ受信部５６と、起動制御用マイコン６２とからなっている。図８に図示された例においては、緊急放送信号を放送する際に、放送局から出力する通常の有線放．送信号の中に緊急放送有を示す特定の周波数のパイロット信号等を含ませているものである。受信端末５４は、その特定の周波数のパイロット信号を選局し、特定の周波数の搬送波の有無を監視することにより、緊急放送が行われることを検知すると、その緊急放送を受信する所定の動作、例えば緊急放送信号の強制選局や緊急放送信号の画面表示等を開始させる。
【００２６】
【発明が解決しようとする課題】
ところで、既知の受信端末５４は、緊急放送信号を受信可能にするために、一部の回路部分を常時動作状態にしているもので、例え一部の回路部分であっても、それらを常時動作状態にしていると、待機状態における消費電力を大幅に低減することができない。
【００２７】
そこで、受信端末における消費電力の大幅な低減を図るため、常時動作状態にしている一部の回路部分を受信端末本体から分離させ、分離した一部の回路部分をＣＡＴＶシステム等の無停電電源によって駆動することにより、受信端末本体の消費電力を大幅に低減させる手段（以下、これを第１の電力低減手段という）、あるいは、特開昭５８−８８９３６号公報に開示された不定期信号監視装置のように、常時動作状態にしている一部の回路部分を、一定の時間間隔で間歇的に動作状態にすることにより、待機状態における受信端末の消費電力を大幅に低減させる手段（以下、これを第２の電力低減手段という）が既に提案されている。
【００２８】
しかしながら、第１の電力低減手段及び第２の電力低減手段は、基本的に、受信端末本体が待機状態にあり、一部の回路部分、例えば受信部、復調部、デマルチプレクサ等が常時動作状態にあることを前提としているもので、受信端末本体が主電源オフ状態や交流電源未接続状態であったときには、緊急放送を受信することができないものであり、このような緊急放送の受信ができない状態を避けるために、常時、受信端末本体を待機状態に設定していると、依然として大幅な消費電力の低減を達成することは難しいものである。
【００２９】
本発明は、このような技術的背景に鑑みてなされたもので、その目的は、緊急放送を行う際に、各分岐信号ケーブルを通して直流を受信端末に供給し、受信端末の電源状態に係わりなく受信端末を稼働状態にすることを可能にしたＣＡＴＶシステムを提供することにある。
【００３０】
【課題を解決するための手段】
前記目的を達成するために、本発明は、放送局から通常時に出力される有線放送信号と緊急事態発生時に出力される緊急放送信号とをケーブル網に供給し、ケーブル網に接続された複数のタップオフによって各放送信号を複数の分岐信号ケーブルに分配し、それらの分岐信号ケーブルの端部にそれぞれ各放送信号を受信する受信端末が接続されたＣＡＴＶシステムにおいて、各分岐信号ケーブルの途中に各放送信号を伝送させる主放送信号伝送部とそれに並列接続された直流電圧重畳部とからなる直流重畳電圧発生用増幅器を接続し、放送局が緊急放送信号を発生するのに先立って規定周波数の搬送波信号を出力すると、直流重畳電圧発生用増幅器は、直流電圧重畳部が分岐信号ケーブルを通して供給された規定周波数の搬送波信号を受領し、受領した搬送波信号を交流−直流変換して出力し、出力した直流電圧を分岐信号ケーブルの端部に接続された受信端末に供給し、当該受信端末の起動または緊急報知が行われる手段を備える。
【００３１】
前記手段によれば、放送局が緊急放送信号を発生するのに先立って規定周波数の搬送波信号を出力すると、その規定周波数の搬送波信号が直流重畳電圧発生用増幅器を駆動して各分岐信号ケーブルに直流電圧を発生させ、その直流電圧を対応する受信端末に供給するようにしているので、単に各分岐信号ケーブルに直流重畳電圧発生用増幅器を接続するだけで、各分岐信号ケーブルの有線放送信号の伝送状態に影響を与えることなく、簡単に直流電圧を発生させることができる。
【００３２】
前記手段における直流重畳電圧発生用増幅器は、主放送信号伝送部が各放送信号を増幅する増幅部を有し、直流電圧重畳部が規定周波数の搬送波信号を抽出するバンドパスフィルタとバンドパスフィルタで抽出した規定周波数の搬送波信号を交流−直流変換して直流電圧を発生する直流電圧発生部とを有し、さらに、主放送信号伝送部の出力と直流電圧重畳部の出力とを加算して出力する加算部とを備えている。
【００３３】
このような構成によれば、増幅部に、汎用的な回路構成を有するバンドパスフィルタと直流電圧発生部と加算部とを付加することにより、直流重畳電圧発生用増幅器を容易に構成することができる。
【００３４】
また、前記手段における受信端末は、分岐信号ケーブルを通して供給された直流電圧の電圧値を判定し、正規の電圧値であると判定したときに判定信号を出力する電圧レベル判定手段と、供給された直流電圧に応答して緊急放送信号の到来を報知する緊急放送報知手段と、判定信号により制御される主制御部起動制御手段とを備え、受信端末の動作状態が主電源オンの待機状態のときには、電圧レベル判定手段が判定信号を出力すると、その判定信号に応答して主制御部起動制御手段が主制御部を起動させ、受信端末を待機状態から主機能稼動状態に移行させ、受信端末の動作状態が主電源オフの主電源オフ状態または交流電源未接続状態のときには、供給された直流電圧に応答して緊急放送報知手段を報知動作状態に駆動し、緊急放送信号の到来を報知、例えばブザー等の発音体を駆動して報知させるようにしている。
【００３５】
このような構成によれば、受信端末の動作状態が主電源オンの待機状態のとき、直流電圧が供給されると、受信端末を待機状態から主機能稼動状態に移行させ、緊急放送を受信することが可能であり、受信端末の動作状態が主電源オフの主電源オフ状態または交流電源未接続状態のとき、直流電圧が供給されると、緊急放送信号の到来を報知、例えば発音により知らせるようにしているので、その発音の発生を聞いた視聴者が受信端末の動作状態を直ちに主機能稼動状態に移行させ、緊急放送を受信することが可能になるもので、特に、受信端末の動作状態が主電源オフの主電源オフ状態または交流電源未接続状態のときであっても、直流電圧が供給されたことを知ることができ、受信端末を主電源オフの主電源オフ状態または交流電源未接続状態にすることにより、受信端末における大幅な消費電力の低減を達成することが可能になる。
【００３６】
【発明の実施の形態】
以下、本発明の実施の形態を図面を参照して説明する。
【００３７】
図１は、本発明によるＣＡＴＶシステムの一つの実施の形態を示すもので、その要部構成の一部を示すブロック図である。
【００３８】
図１に示されるように、このＣＡＴＶシステムは、ケーブル網１と、タップオフ２と、分岐信号ケーブル３と、直流重畳電圧発生用増幅器４と、保安器５と、受信端末６と、モニタ７とからなっている。なお、図１においては、タップオフ２、分岐信号ケーブル３、直流重畳電圧発生用増幅器４、保安器５、受信端末６、モニタ７がそれぞれ１つづつ示されているが、実際のＣＡＴＶシステムにおいては、多数のタップオフ２、分岐信号ケーブル３、直流重畳電圧発生用増幅器４、保安器５、受信端末６、モニタ７が設けられている。そして、ケーブル網１と受信端末６との間には、タップオフ２、分岐信号ケーブル３、直流重畳電圧発生用増幅器４、分岐信号ケーブル３、保安器５がこの順番に接続され、受信端末６には、テレビジョン受像機等からなるモニタ７が接続されている。
【００３９】
また、図２は、図１に図示された直流重畳電圧発生用増幅器４の内部構成の一例を示すブロック図である。
【００４０】
図２において、図１に示された構成要素と同じ構成要素については同じ符号を付けている。
【００４１】
図２に示されるように、この直流重畳電圧発生用増幅器４は、増幅部４ａと、バンドパスフィルタ４ｂと、直流電圧発生部４ｃと、加算部４ｄと、入力端子４ｅと、出力端子４ｆとからなっている。そして、増幅部４ａは、入力端が入力端子４ｅに接続され、出力端が加算部４ｄの第１入力端に接続される。バンドパスフィルタ４ｂは、入力端が入力端子４ｅに接続され、出力端が直流電圧発生部４ｃの入力端に接続される。直流電圧発生部４ｃは、出力端が加算部４ｄの第２入力端に接続される。加算部４ｄは、出力端が出力端子４ｆに接続される。この場合、バンドパスフィルタ４ｂは、後述する規定周波数の搬送波信号だけを選択的に通過させるものであり、直流電圧発生部４ｃは、規定周波数の搬送波信号が供給されたとき、所定レベルの直流電圧を発生するものである。
【００４２】
さらに、図３は、図１に図示された受信端末６の内部構成の一例を示すブロック図であり、モニタ７とともに表していものである。
【００４３】
図３において、図１に示された構成要素と同じ構成要素については同じ符号を付けている。
【００４４】
図２に示されるように、この受信端末６は、チューナを内蔵した受信部８と、復調部９と、デマルチプレクサ１０と、ＭＰＥＧデコーダ１１と、グラフィックコントローラ１２と、ＮＴＳＣエンコーダ１３と、直流レベル判定部１４と、起動制御用マイコン１５と、主制御部（メインＣＰＵ）１６と、ブザー用電源供給部１７と、ブザー１８と、主電源スイッチ（ＳＷ）１９と、放送信号入力端子２０と、映像信号出力端子２１と、音声信号出力端子２２と、リモコン信号入力端子２３と、電源端子２４とからなる。この他に、テレビジョン受像機等からなるモニタ７と、交流電源ソケット（図示なし）に差し込まれるコンセントプラグ２５とが配置される。
【００４５】
そして、受信部８は、入力端が放送信号入力端子２０に接続され、出力端が復調部９の入力端に接続される。デマルチプレクサ１０は、入力端が復調部９の出力端に接続され、出力端がＭＰＥＧデコーダ１１の入力端に接続される。ＭＰＥＧデコーダ１１は、映像信号出力端がグラフィックコントローラ１２の入力端に接続され、音声信号出力端が音声信号出力端子２２に接続される。ＮＴＳＣエンコーダ１３は、グラフィックコントローラ１２の出力端に接続され、出力端が映像信号出力端子２１に接続される。直流レベル判定部１４は、入力端が放送信号入力端子２０に接続され、出力端が起動制御用マイコン１５に接続される。ブザー用電源供給部１７は、入力端が放送信号入力端子２０に接続され、出力端がブザー１８に接続され、制御端が起動制御用マイコン１５に接続される。起動制御用マイコン１５は、主制御部１６とリモコン信号入力端子２３に接続される。主制御部１６は、受信部８と、復調部９と、デマルチプレクサ１０と、ＭＰＥＧデコーダ１１と、グラフィックコントローラ１２と、ＮＴＳＣエンコーダ１３の各制御端に接続される。主電源スイッチ１９は、電源端子２４に接続される。さらに、モニタ７は、映像信号出力端子２１と音声信号出力端子２２に接続され、コンセントプラグ２５は、電源リード（図番なし）を通して電源端子２４に接続される。
【００４６】
この場合、直流レベル判定部１４及びブザー用電源供給部１７は、主電源スイッチ１９がオフ状態であったり、コンセントプラグ２５が交流電源ソケットから外されていたとしても、動作可能になるように主電源と異なる電源、例えば内蔵電池によって駆動されるように構成されている。
【００４７】
前記構成によるＣＡＴＶシステムの動作を、図１乃至図３を用いて説明する。
【００４８】
始めに、放送局から出力された有線放送信号がケーブル網１に供給される定時状態のときの動作について述べる。
【００４９】
放送局から出力された有線放送信号がケーブル網１に供給されると、その有線放送信号は、タップオフ２によってケーブル網１から分岐され、対応する分岐信号ケーブル３に供給され、分岐信号ケーブル３を通して直流重畳電圧発生用増幅器４に供給される。このとき、直流重畳電圧発生用増幅器４は、入力端子４ｅに供給された有線放送信号を増幅部４ａで所定レベルに増幅し、増幅した有線放送信号を加算部４ｄを通して出力端子４ｆから対応する分岐信号ケーブル３に供給する。次いで、有線放送信号は、分岐信号ケーブル３を通り、保安器５を通って受信端末６に供給される。
【００５０】
有線放送信号が供給された時点に、受信端末６が主機能稼動状態であったとすれば、供給された有線放送信号は、放送信号入力端子２０を通して受信部８に供給される。受信部８は、供給された有線放送信号の中の所望チャネルの放送信号を選局し、選局した放送信号を中間周波信号に変換して次続の復調部９に供給する。復調部９は、供給された中間周波信号を復調し、データ列を形成する。このデータ列は、誤り訂正処理によって復元され、複数の映像データ、音声データ、その他のデータを多重化したＭＰＥＧトランスポートストリームの形になってデマルチプレクサ１０に供給される。
【００５１】
次いで、デマルチプレクサ１０は、ＭＰＥＧトランスポートストリームの情報内容を選択し、映像データ及び音声データをＭＰＥＧデコーダ１１に転送する。ＭＰＥＧデコーダ１１は、圧縮状態の映像データ及び音声データを伸長し、映像信号及び音声信号に変換する。映像信号はグラフィックコントローラ１２に供給され、音声信号は音声信号出力端子２２を通してモニタ７に供給される。グラフィックコントローラ１２は、供給された映像信号のスケーリングやＯＳＤ画像の重ね合わせを行った後、ＮＴＳＣエンコーダ１３に供給され、そこでＮＴＳＣ信号に変換される。変換されたＮＴＳＣ信号は、映像信号出力端子２１を通してモニタ７に供給される。その結果、モニタ７においては、画像が表示され、その画像に対応した音声が放声される。
【００５２】
これに対し、有線放送信号が供給された時点に、受信端末６が待機状態、主電源オフ状態、交流電源未接続状態のいずれかであったとすれば、受信端末６に有線放送信号が供給されても、有線放送信号を受信して画像表示や音声の放声を行う構成部分の一部または全部が通常の機能を果たさず、モニタ７において前述のような画像表示や音声の放声が行われない。
【００５３】
次に、放送局から出力された緊急放送信号がケーブル網１に供給されるときの動作について述べる。
【００５４】
放送局は、緊急放送信号をケーブル網１に出力するのに先立って規定周波数の搬送波信号を出力する。ケーブル網１に出力された規定周波数の搬送波信号は、ケーブル網１からそれぞれのタップオフ２によって分岐され、対応する各分岐信号ケーブル３を伝送して直流重畳電圧発生用増幅器４に供給される。このとき、直流重畳電圧発生用増幅器４は、入力端子４ｅに供給された規定周波数の搬送波信号をバンドパスフィルタ４ｂによって選択抽出し、選択抽出した規定周波数の搬送波信号を直流電圧発生部４ｃに供給する。直流電圧発生部４ｃは、規定周波数の搬送波信号の供給に応答して所定レベルの直流電圧を発生し、発生した直流電圧を加算部４ｄを通して出力端子４ｆに供給する。この後、直流電圧は、対応する分岐信号ケーブル３を伝送し、さらに保安器５を通って受信端末６に供給される。
【００５５】
始めに、直流電圧が供給された時点に、受信端末６が主機能稼動状態、すなわち受信端末６の全ての構成部分に電源が供給されている状態であったとすれば、受信端末６は正常動作状態にある。このため、受信端末６は、直流電圧の供給に引き続いて緊急放送信号が供給されると、その緊急放送信号を受信部８で選局し、復調部９で復調し、デマルチプレクサ１０でトランスポートストリームのサービス情報（ＳＩ）を分離したとき、主制御部１６でサービス情報に含まれる緊急放送信号の到来を示す識別子を常時監視している。そして、主制御部１６は、この識別子を検出すると、受信端末６を緊急放送信号の受信モードに設定する。このとき、緊急放送信号が供給されると、主制御部１６がグラフィックコントローラ１２を制御することにより、モニタ７の表示画面に緊急放送による告知内容を表示させる。
【００５６】
この場合、受信端末６に直流電圧が供給されると、その直流電圧が直流レベル判定部１４及びブザー用電源供給部１７に供給され、その直流電圧の直流電圧レベルが所定値以上であったとき、直流レベル判定部１４から起動信号が起動制御用マイコン１５に供給され、ブザー用電源供給部１７からブザー駆動信号がブザー１８に供給されるが、この時点に既に起動制御用マイコン１５が起動状態にあるため、起動制御用マイコン１５とブザー用電源供給部１７との間でシリアル通信が行われ、それによりブザー用電源供給部１７からのブザー駆動信号の出力が停止され、ブザー１８が動作しない。
【００５７】
次に、直流電圧が供給された時点に、受信端末６が待機状態、すなわち受信端末６の一部の構成部分のみに電源が供給されている状態であったとすれば、受信端末６を正常動作状態にする必要がある。このため、受信端末６は、直流電圧が供給されたとき、その直流電圧の直流電圧レベルを直流レベル判定部１４で判定し、その判定により直流電圧レベルが所定値以上であったときに起動制御用マイコン１５に起動信号を供給する。起動制御用マイコン１５は、供給された起動信号に応答し、主制御部１６に起動通知を伝達する。主制御部１６は、起動通知の受信により直ちに受信端末６の全部の構成部分に電源を供給し、受信端末６を正常動作状態にする。受信端末６が正常動作状態になると、主制御部１６は、トランスポートストリームのサービス情報に含まれる緊急放送信号の到来を示す識別子の判別が可能となる。そして、受信端末６は、直流電圧の供給に引き続いて緊急放送信号が供給されると、受信端末６が主機能稼動状態であったときと同様の動作を行い、モニタ７の表示画面に緊急放送による告知内容を表示させる。
【００５８】
この場合、受信端末６に直流電圧が供給されると、その直流電圧が直流レベル判定部１４及びブザー用電源供給部１７に供給され、その直流電圧の直流電圧レベルが所定値以上であったとき、直流レベル判定部１４から起動信号が起動制御用マイコン１５に供給され、ブザー用電源供給部１７からブザー駆動信号がブザー１８に供給されるが、この時点に起動制御用マイコン１５が起動状態になるため、起動制御用マイコン１５とブザー用電源供給部１７との間でシリアル通信が行われ、それによりブザー用電源供給部１７からのブザー駆動信号の出力が停止され、ブザー１８が動作しない。
【００５９】
次いで、直流電圧が供給された時点に、受信端末６が主電源オフ状態、すなわち主電源スイッチ１９がオフ状態にあり、コンセントプラグ２５が交流電源ソケットに嵌め込まれている状態であったとすれば、受信端末６が待機状態であったときと同様に、直流レベル判定部１４から起動信号を起動制御用マイコン１５に供給しても、起動制御用マイコン１５に電源が供給されていないため、起動通知を主制御部１６に供給するこができず、受信端末６を正常動作状態にすることができない。このため、受信端末６は、直流電圧が供給されたときに、その直流電圧がブザー用電源供給部１７に供給され、その直流電圧の直流電圧レベルが所定値以上であったとき、ブザー用電源供給部１７からブザー駆動信号がブザー１８に供給される。これによりブザー１８が駆動され、発音によって緊急放送信号が到来することを報知する。この報知を聞いた聴取者が直ちに受信端末６の主電源スイッチ１９をオン状態にすれば、受信端末６が正常動作状態になる。そして、受信端末６が正常動作状態になれば、受信端末６が主機能稼動状態であったときと同様に、受信端末６は、直流電圧の供給に引き続いて緊急放送信号が供給されたとき、モニタ７の表示画面に緊急放送による告知内容を表示させる。
【００６０】
この場合、直流電圧が供給された段階では、起動制御用マイコン１５が起動状態になっていないので、起動制御用マイコン１５とブザー用電源供給部１７との間でシリアル通信が行われず、ブザー用電源供給部１７からブザー１８に供給されるブザー駆動信号の出力が停止することがない。
【００６１】
続いて、直流電圧が供給された時点に、受信端末６が交流電源未接続状態、すなわち主電源スイッチ１９がオフ状態にあり、コンセントプラグ２５が交流電源ソケットに嵌め込まれていない状態であったとすれば、受信端末６が主電源オフ状態であるときと同様に、受信端末６を正常動作状態にすることができない。このため、受信端末６は、直流電圧が供給されたときに、その直流電圧がブザー用電源供給部１７に供給され、その直流電圧の直流電圧レベルが所定値以上であったとき、ブザー用電源供給部１７からブザー駆動信号がブザー１８に供給される。これによりブザー１８が駆動され、発音によって緊急放送信号が到来することを報知する。この報知を聞いた聴取者が直ちにコンセントプラグ２５を交流電源ソケットに嵌め込み、受信端末６の主電源スイッチ１９をオン状態にすれば、受信端末６が正常動作状態になる。そして、受信端末６が正常動作状態になれば、受信端末６が主機能稼動状態であったときと同様に、受信端末６は、直流電圧の供給に引き続いて緊急放送信号が供給されたとき、モニタ７の表示画面に緊急放送による告知内容を表示させる。
【００６２】
この場合においても、直流電圧が供給された段階では、起動制御用マイコン１５が起動状態になっていないので、起動制御用マイコン１５とブザー用電源供給部１７との間でシリアル通信が行われず、ブザー用電源供給部１７からブザー１８に供給されるブザー駆動信号の出力が停止することがない。
【００６３】
また、図４は、図３に図示された直流レベル判定部１４の構成の一例を示す回路図である。
【００６４】
図４に示されるように、直流レベル判定部１４は、レベル検出用エミッタ接地トランジスタ１４ａと、トランジスタ１４ａのベースに接続された入力抵抗１４ｂと、トランジスタ１４ａのコレクタに接続された負荷抵抗１４ｃとからなっている。
【００６５】
直流レベル判定部１４は、入力抵抗１４ｂを通してトランジスタ１４ａのベースに直流電圧が供給されたとき、その直流電圧レベルが所定電圧レベル以下であれば、トランジスタ１４ａがオン状態にならず、トランジスタ１４ａのコレクタからほぼ電源電圧に等しいレベル検出信号（正論理検出信号）が出力される。これに対して、その直流電圧レベルが所定電圧レベル以上であれば、トランジスタ１４ａがオン状態になり、トランジスタ１４ａのコレクタからほぼ接地電圧に等しいレベル検出信号（負論理検出信号）が出力される。このとき、負論理検出信号を起動制御用マイコン１５の起動信号として用いることにより、入力直流電圧の電圧レベルを判定し、起動信号を発生することができる。
【００６６】
前記実施の形態においては、緊急放送報知手段として発音部材であるブザー１８を用いた例を挙げて説明したが、本発明による緊急放送報知手段はブザー１８に限られるものでなく、ブザー１８以外の発音部材を用いてもよく、光発光素子（ＬＥＤ）やフロントパネル等の表示部材を用いてもよい。
【００６７】
【発明の効果】
以上のように、請求項１に記載の発明によれば、放送局が緊急放送信号を発生するのに先立って規定周波数の搬送波信号を出力すると、その規定周波数の搬送波信号が直流重畳電圧発生用増幅器を駆動して各分岐信号ケーブルに直流電圧を発生させ、その直流電圧を対応する受信端末に供給するようにしているので、単に各分岐信号ケーブルに直流重畳電圧発生用増幅器を接続するだけで、各分岐信号ケーブルの有線放送信号の伝送状態に影響を与えることなく、簡単に直流電圧を発生させることができるという効果がある。
【００６８】
また、請求項２に記載の発明によれば、増幅部に、汎用的な回路構成を有するバンドパスフィルタと直流電圧発生部と加算部とを付加することにより、直流重畳電圧発生用増幅器を容易に構成できるという効果がある。
【００６９】
さらに、請求項３に記載の発明によれば、受信端末の動作状態が主電源オンの待機状態のとき、直流電圧が供給されると、受信端末を待機状態から主機能稼動状態に移行させ、緊急放送を受信することが可能であり、受信端末の動作状態が主電源オフの主電源オフ状態または交流電源未接続状態のとき、直流電圧が供給されると、緊急放送信号の到来を報知するようにしているので、その報知を知覚した視聴者が受信端末の動作状態を直ちに主機能稼動状態に移行させ、緊急放送を受信することが可能になるもので、特に、受信端末の動作状態が主電源オフの主電源オフ状態または交流電源未接続状態のときであっても、直流電圧が供給されたことを知ることができ、受信端末を主電源オフの主電源オフ状態または交流電源未接続状態にすることにより、受信端末における大幅な消費電力の低減を達成することが可能になるという効果がある。
【図面の簡単な説明】
【図１】本発明によるＣＡＴＶシステムの一つの実施の形態を示すもので、その要部構成の一部を示すブロック図である。
【図２】図１に図示された直流重畳電圧発生用増幅器の内部構成の一例を示すブロック図である。
【図３】図１に図示された受信端末の内部構成の一例を示すブロック図である。
【図４】図３に図示された直流レベル判定部の構成の一例を示す回路図である。
【図５】既知のＣＡＴＶシステムの要部構成の一部を示すブロック図である。
【図６】図５に図示された受信端末の内部構成の一例を示すブロック図である。
【図７】既知の受信端末において常時動作状態にしている回路部分の一例を示すブロック図である。
【図８】既知の受信端末において常時動作状態にしている回路部分の他の例を示すブロック図である。
【符号の説明】
１  ケーブル網
２  タップオフ
３  分岐信号ケーブル
４  直流重畳電圧発生用増幅器
４ａ  増幅部
４ｂ  バンドパスフィルタ
４ｃ  直流電圧発生部
４ｄ  加算部
４ｅ  入力端子
４ｆ  出力端子
５  保安器
６  受信端末
７  モニタ
８  受信部
９  復調部
１０  デマルチプレクサ
１１  ＭＰＥＧデコーダ
１２  グラフィックコントローラ
１３  ＮＴＳＣエンコーダ
１４  直流レベル判定部
１５  起動制御用マイコン
１６  主制御部（メインＣＰＵ）
１７  ブザー用電源供給部
１８  ブザー（緊急放送報知手段）
１９  主電源スイッチ（ＳＷ）
２０  放送信号入力端子
２１  映像信号出力端子
２２  音声信号出力端子
２３  リモコン信号入力端子
２４  電源端子
２５  コンセントプラグ
【図１】
0003865643.tif 000002
【図２】
0003865643.tif 000003
【図３】
0003865643.tif 000004
【図４】
0003865643.tif 000005
【図５】
0003865643.tif 000006
【図６】
0003865643.tif 000007
【図７】
0003865643.tif 000008
【図８】
0003865643.tif 000009